【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
被検眼の固有情報を取得する取得手段と、
前記取得手段を上下方向に移動させるための回転動作と、前記被検眼に対して該取得手段を左右方向に移動させるための左右傾倒動作と、該被検眼に対して該取得手段を前後方向に移動させるための前後傾倒動作と、を行うことのできるジョイスティックと、
前記取得手段を前記上下方向に移動させるための動作を前記回転動作から前記前後傾倒動作に変更する制御手段と、
を有することを特徴とする眼科装置。
【請求項２】
前記制御手段は、前記取得手段を前記上下方向に移動させるための動作を前記回転動作から前記前後傾倒動作に変更した場合に、前記回転動作による前記取得手段の移動をさせないことを特徴とする請求項１に記載の眼科装置。
【請求項３】
被検眼の固有情報を取得する取得部と、
回転による第１の動作で上下方向への変位のための入力が可能である一方、
左右傾倒による第２の動作、前後傾倒による第３の動作で夫々左右方向、前後方向への変位のための入力が可能なジョイスティックと、
前記取得部を被検眼に対して変位させるために前記ジョイスティックによる前記第１の動作、前記第２の動作、前記第３の動作に応じて夫々上下方向、左右方向、前後方向へ前記取得部を駆動可能な第１の駆動系、第２の駆動系、第３の駆動系と、
前記第１の駆動系、前記第２の駆動系、前記第３の駆動系の駆動制御を行う制御部と、
を有し、
前記制御部は第１モード、第２モードを備える眼科装置であって、
前記第１モードでは、前記制御部は前記ジョイスティックの前記第１の動作、前記第２の動作、前記第３の動作で夫々前記第１の駆動系、前記第２の駆動系、前記第３の駆動系を駆動させる一方、
前記第２モードでは、前記制御部は前記第１の動作による前記第１の駆動系の駆動を阻止すると共に、前記第２の動作で前記第２の駆動系を駆動させ、かつ、前記第３の動作で前記第１の駆動系を駆動させるように駆動変更を行うことを特徴とする眼科装置。
【請求項４】
前記第２モードでは、前記ジョイスティックとは独立に前記制御部によって前記第３の駆動系が自動制御され、前後方向へオートトラッキング制御されることを特徴とする請求項３に記載の眼科装置。
【請求項５】
前記第１モードから前記第２モードへの切り替えを行う入力手段を有し、前記ジョイスティックによる前記第２の動作で前後方向に駆動させた後に、前記入力手段を介して前記ジョイスティックによる前記第２の動作で上下方向に駆動変更させることを特徴とする請求項３に記載の眼科装置。
【請求項６】
前記第２モードが、被検眼瞳孔の徹照観察がされる状態で実行されることを特徴とする請求項５に記載の眼科装置。
【請求項７】
前記制御部はオートアライメントモードとしての第３モードを備え、前記第３モードでは、前記制御部は夫々被検眼に対する前記取得部の前記上下方向、前記左右方向、前記前後方向への位置合わせ状態が一定となるまで前記第１の駆動系、前記第２の駆動系、前記第３の駆動系を夫々前記ジョイスティックとは独立に自動制御することを特徴とする請求項３乃至６のいずれか1項に記載の眼科装置。
【請求項８】
前記第３モードで前記取得部による被検眼の固有情報が正しく取得できない場合、もしくは前記第３モードで前記ジョイスティックが操作された場合、前記制御部は前記第３モードから前記第２モードへ自動移行させることを特徴とする請求項７に記載の眼科装置。
【請求項９】
前記制御部が前記第２モードであることを検者に報知する報知手段を備えることを特徴とする請求項３乃至８のいずれか1項に記載の眼科装置。
【請求項１０】
前記報知手段は検者に視覚的もしくは聴覚的に報知することを特徴とする請求項９に記載の眼科装置。
【請求項１１】
前記制御部は、被検眼に対し前記取得部が前記前後方向へ所定範囲を超えて変位した場合もしくは所定の操作以外の操作がされた場合に、前記第２モードを中断させることを特徴とする請求項３乃至１０のいずれか1項に記載の眼科装置。
【請求項１２】
前記第２モードとして前記オートトラッキング制御がされる状態で、前記第３の動作で前記第１の駆動系を駆動させるように駆動変更を行うか、前記第３の動作で前記第３の駆動系を駆動させるように駆動変更を行わないようにするか、を選択する選択手段を有することを特徴とする請求項４に記載の眼科装置。
【請求項１３】
被検眼の固有情報を取得手段により取得する取得ステップと、
前記取得手段を上下方向に移動させるための回転動作と、前記被検眼に対して該取得手段を左右方向に移動させるための左右傾倒動作と、該被検眼に対して該取得手段を前後方向に移動させるための前後傾倒動作と、を行うことのできるジョイスティックに対し、
前記取得手段を前記上下方向に移動させるための動作を前記回転動作から前記前後傾倒動作に変更する制御ステップと、
を有することを特徴とする眼科制御方法。
【請求項１４】
請求項１３に記載の全ての前記ステップをコンピュータに実行させることを特徴とする眼科制御プログラム。
【請求項１５】
被検眼の固有情報を取得する取得手段と、
前記取得手段を上下方向に移動させるための回転動作と、前記被検眼に対して該取得手
段を左右方向に移動させるための左右傾倒動作と、該被検眼に対して該取得手段を前後方
向に移動させるための前後傾倒動作と、を行うことのできるジョイスティックと、
前記ジョイスティックの前後動による前記取得手段の移動方向を、前後方向から上下方向に変更する制御手段と、
を有することを特徴とする眼科装置。
【手続補正２】
【補正対象書類名】明細書
【補正対象項目名】０００８
【補正方法】変更
【補正の内容】
【０００８】
また、本発明に係る別の眼科装置の代表的な構成は、被検眼の固有情報を取得する取得部と、回転による第１の動作で上下方向への変位のための入力が可能である一方、左右傾倒による第２の動作、前後傾倒による第３の動作で夫々左右方向、前後方向への変位のための入力が可能なジョイスティックと、前記取得部を被検眼に対して変位させるために前記ジョイスティックによる前記第１の動作、前記第２の動作、前記第３の動作に応じて夫々上下方向、左右方向、前後方向へ前記取得部を駆動可能な第１の駆動系、第２の駆動系、第３の駆動系と、前記第１の駆動系、前記第２の駆動系、前記第３の駆動系の駆動制御を行う制御部と、を有し、前記制御部は第１モード、第２モードを備える眼科装置であって、前記第１モードでは、前記制御部は前記ジョイスティックの前記第１の動作、前記第２の動作、前記第３の動作で夫々前記第１の駆動系、前記第２の駆動系、前記第３の駆動系を駆動させる一方、前記第２モードでは、前記制御部は前記第１の動作による前記第１の駆動系の駆動を阻止すると共に、前記第２の動作で前記第２の駆動系を駆動させ、かつ、前記第３の動作で前記第１の駆動系を駆動させるように駆動変更を行うことを特徴とする。
また、本発明に係る別の眼科装置の代表的な構成は、被検眼の固有情報を取得する取得手段と、前記取得手段を上下方向に移動させるための回転動作と、前記被検眼に対して該取得手段を左右方向に移動させるための左右傾倒動作と、該被検眼に対して該取得手段を前後方向に移動させるための前後傾倒動作と、を行うことのできるジョイスティックと、前記ジョイスティックの前後動による前記取得手段の移動方向を、前後方向から上下方向に変更する制御手段と、を有することを特徴とする。